(57)【要約】【課題】型枠コンクリートブロックを使用した建築構造物に於いて、床面や梁部材等を迅速、簡便且つ安価に施工する。【解決手段】型枠コンクリートブロックの片側壁板上面に対し、鋼板製デッキプレートの端縁側を２ｃｍ程度重ね合わせ状態に載置させると共に、該端縁上の適所を型枠コンクリートブロックの片側壁板裏面側より逆Ｌ字状の止め金具を使用して止着するほか、型枠コンクリートブロックの反対側壁板に向かってゼットセパ金具の複数箇を取付けたものとなし、また型枠コンクリートブロックの反対側壁板面にはコンクリートパネルを当接すると共に、該コンクリートパネルを上記ゼットセパ金具で立設状態に止着させることによりデッキプレート上へ一定深さの箱状空間を形成させ、且つ該空間内の凡そ１０ｃｍ〜３０ｃｍの深さ範囲に鉄筋枠を組込んだのちコンクリート打ちを行う。【選択図】　　　図３
2004124485.tif 000002
【特許請求の範囲】
【請求項１】
多数の型枠ブロックを夫々れ縦、横方向に目地モルタルなどを使用しながら積み重ねるものであって、型枠コンクリートブロックの片側壁板上面に対し、鋼板製デッキプレートの端縁側を２ｃｍ程度重ね合わせ状態に載置させると共に、該端縁上の適所を型枠コンクリートブロックの片側壁板裏面側より逆Ｌ字状の止め金具を使用して止着するほか、型枠コンクリートブロックの反対側壁板に向かってゼットセパ金具の複数箇を取付けたものとなし、また型枠コンクリートブロックの反対側壁板面にはコンクリートパネルを当接すると共に、該コンクリートパネルを上記ゼットセパ金具で立設状態に止着させることによりデッキプレート上へ一定深さの箱状空間を形成させ、且つ該空間内の凡そ１０ｃｍ〜３０ｃｍの深さ範囲に鉄筋枠を組込んだのちコンクリート打ちを行って構成することを特徴とした型枠コンクリートブロックを使用した建築構造物に対する床面や梁材等の造成工法。
【請求項２】
請求項１記載の型枠コンクリートブロックは、その前後壁板の各肉厚巾を３ｃｍ〜５ｃｍのものとなすほか、その縦、横方向に於ける中央部に対し夫々れ深さ３ｍｍ〜７ｍｍ程度の目地用溝を設けたものとなしてあること。
【発明の詳細な説明】
【０００１】
【発明の属する技術分野】
本発明は型枠コンクリートブロックを使用した建築構造物に対する床面や梁材等の造成工法に関する。
【０００２】
【従来の技術】
鉄骨構造物に対し鋼板製デッキプレートを使用して床構造物を作成することは知られている。即ち、図７，図８はこの造成工法を示すものであり、図７はデッキプレートを取付る前を、図８はデッキプレートを取付けたものである。
各図で１’は鉄骨支柱、２’はデッキ受梁、３’はデッキプレートである。
【０００３】
【特許文献】
【文献１】
日本鋼管ライトスチール株式会社のパンフレット「Ｆデッキプレート」
【０００４】
【発明が解決しようとする課題】
上記は鉄骨構造物に対する鋼板製デッキプレートを使用して床面構造物を作成するものであるが、本発明は型枠コンクリートブロックを使用した建築構造物に係り、該構造物の床面構造を安価且つ迅速に作成できるようにするものである。一般的にコンクリート構造物で二階の床面や天井などの作成には、一定高さ位置のコンクリートパネルに対し、その下方から数拾本とはいわぬ多数の支柱を林立させ、即ちコンクリートパネル板をコンクリート打ちの重量に耐えられるように支持したものとなし、且つ各支柱はその水平面が得られるように調整しながら、あとパネル板上面に鉄筋枠を組込んで行うのであって、コンクリート打ちするまでの作業は繁雑であり、またコンクリート打ち後も支柱の取外しやパネル板の取外しなどの作業で煩雑なものとなっている。
本発明は、上記問題点を解決せんとするものである。
【０００５】
【課題を解決するための手段】
本発明は多数の型枠ブロックを夫々れ縦、横方向に目地モルタルなどを使用しながら積み重ねて建築構造物を作成するものであって、型枠コンクリートブロックの片側壁板上面に対し、鋼板製デッキプレートの端縁側を２ｃｍ程度重ね合わせ状態に載置させると共に、該端縁上の適所を型枠コンクリートブロックの片側壁板裏面側より逆Ｌ字状の止め金具を使用して止着するほか、型枠コンクリートブロックの反対側壁板に向かってゼットセパ金具の複数箇を取付けたものとなし、また型枠コンクリートブロックの反対側壁面にはコンクリートパネルを当接すると共に、該コンクリートパネルを上記ゼットセパ金具で立設状態に止着させることによりデッキプレート上へ一定深さの箱状空間を形成させ、且つ該空間内の凡そ１０ｃｍ〜３０ｃｍの深さ範囲に鉄筋枠を組込んだのちコンクリート打ちを行うことを特徴とする。
【０００６】
このさい、型枠コンクリートブロックはその前後壁板の各肉厚巾を３ｃｍ〜５ｃｍのものとなすほか、その縦、横方向に於ける中央部に対し夫々れ深さ３ｍｍ〜７ｍｍ程度の目地用の溝を設けたものとする。
【０００７】
【発明の実施の形態】
図１は本発明で使用される型枠コンクリートブロック１の斜視図であって、形状及び大きさ寸法は一般の市販製品と凡そ同様（長さＬ＝３９８ｍｍ、高さＨ＝１９５ｍｍ〜１９８ｍｍ、巾Ｗ＝１５０ｍｍ〜３００ｍｍ）のものであるが、本発明では前後壁板１ａ、１ｂの各肉厚巾Ｓを少なくとも３ｃｍ〜５ｃｍとなすほか、その縦、横方向に於ける中央部に対し夫々れ深さ寸法ｔを３ｍｍ〜７ｍｍ程度となした目地溝２を穿設したものとなしてある。これは該型枠コンクリートブロックを縦、横方向へ積み重ねるさいに目地用モルタルやコンクリートを填入させるためのものである。
【０００８】
図２、図３、図４、図５、図６は上記型枠コンクリートブロック１を縦、横方向へ積み重ねて実施する建築構造物３に対し、デッキプレート４を載置して床面を造成する状態を示すものである。
先ず、図２に示す如く積み重ねられた型枠コンクリートブロック１の片側壁板（図示例では１ｂ）上面にデッキプレート４の端縁側ｐを凡そ２ｃｍ程度は重なり合うように載置させるのであり、而して図示例の如く止着させるのであり、該止着には逆Ｌ字状の止め金具５を使用する。ところで、該止着には逆Ｌ字状の垂片５ａを型枠コンクリートブロック１の片側壁１ｂの裏面側へ当接状態になすと共に、その水平片５ｂをデッキプレート４の上面側へ位置させ、且つ該面を上方からビス金具ｂを螺入して止着させるのである。
【０００９】
一方、７はコンクリートパネルを係止させるためのゼットセパ金具であって、上記デッキプレート４の適当間隔位置に対し、該金具の基板７ａをビス金具８で止着させたものとなし、そのさいゼット状針金７ｂの先端が型枠コンクリート１側へ向かうようになさしめる。なお、図面で７ｃ及び７ｄは次述するコンクリートパネルの裏面側を支持するための座金及びその締付け用ナットである。
【００１０】
他方、図３に示す通り、デッキプレート４上面には鉄筋枠９を取付けると共に、型枠コンクリートブロック１の周辺を取囲むべく上記ゼットセパ金具７によりコンクリートパネル１０を取付けた状態にするのである。ここに鉄筋枠９はデッキプレート４上で作業員が鉄筋線を手作業により順次枠組みすることができるが、既に工場で格子状に構成させたものを持ち込んで載置するだけで済ませることができる。なお、コンクリートパネル１０は型枠コンクリートブロック１の上記鉄筋枠９を一定高さで取囲むようになすのであり、これによりコンクリート打ちされる床板の一定の肉厚高さが得られるものとなる。なお、図面で１１ａ及び１１ｂは積み重ね状型枠コンクリートブロック内を挿通させてなる補強用の縦及び横鉄筋である。
【００１１】
図４は上記のコンクリート打ちの行われた状態を示すものであり、図５は外周のコンクリートパネル１０をナット７ｄを取外して取除くことにより床面１２が形成された状態を示す。而して、該床面１２上には次階用に適宜必要な型枠コンクリートブロック１を再び順次積み重ねるのであり（図６）、斯くして構成される型枠コンクリートブロック１による建築構造物の全体的外表面には、タイル貼りを含む外装材などの取付け或いは塗装工事などを行って仕上げるのであり、これに対し内面側は必要な内装材を取付けるものとなすのである。
【００１２】
上記実施例では建築構造物の全体的な床面の作成について説明したが、梁材などの部分的構造物も同様にして作成することのできるものであって、本発明実施の範囲内とする。
【００１３】
本発明で使用する型枠コンクリートブロック１に於いて、その前後壁板に於ける縦、横方向の中央部分に対し、夫々れ深さ３ｍｍ〜７ｍｍ程度の目地用溝２が設けてあることは、該型枠コンクリートブロック１を縦、横方向へ積み重ねるさい、該溝２内に対して填入される目地モルタルや目地コンクリートが隣り合う各型枠コンクリートブロック１間の強固な固定が行われるようにする上で優れたものとなる。
【００１４】
【発明の効果】
本発明は以上の通り構成するものであって、型枠コンクリートブロックを使用して構築される建築構造物に対し、必要な床面や梁部材等を迅速、簡便且つ安価に施工することのできるものとなる。即ち、本発明では市販のデッキプレートの肉厚にもよるが、凡そ肉厚１ｍｍのデッキプレートを使用して４畳半程度の床面工事に於けるコンクリート打ちでは、その下方からの支柱による支持を皆無にすることができる。これに対し広さが大となって１０畳程度のものになっても凡そ数箇所程度の支柱を設ける程度で工事を可能にすることができるものである。従って、作業性の向上と共に工期の短縮化に寄与すること大ならしめるものである。
なお、上記床面構造などの造成は外周の型枠コンクリートを積み重ねる工事過程で、即ち該作業と同時のタイミングで、順次同一作業人らが手際良く段取りして行うことができる点でも優れる。
【図面の簡単な説明】
【図１】本発明で使用する型枠ブロックの斜視図である。
【図２】床面を造成する工程を示す斜視図である。
【図３】床面を造成する工程を示す斜視図である。
【図４】床面を造成する工程を示す斜視図である。
【図５】床面を造成する工程を示す斜視図である。
【図６】床面を造成する工程を示す斜視図である。
【図７】鉄骨構造物に対する床面を造成する工程を示す斜視図である。
【図８】鉄骨構造物に対する床面を造成する工程を示す斜視図である。
【符号の説明】
１　　　型枠コンクリートブロック
２　　　目地溝
３　　　建築構造物
４　　　デッキプレート
７　　　ゼットセパ金具
９　　　鉄筋枠
１０　　コンクリートパネル
【図１】
2004124485.tif 000003
【図２】
2004124485.tif 000004
【図３】
2004124485.tif 000005
【図４】
2004124485.tif 000006
【図５】
2004124485.tif 000007
【図６】
2004124485.tif 000008
【図７】
2004124485.tif 000009
【図８】
2004124485.tif 000010